(57)【要約】【課題】パッケージから製品が１つずつ取り出されることを可能にする分配装置を提供する。【解決手段】内容積（５，１０５）を包囲する封止壁（４、１０４）を有し、前記内容積（５，１０５）は、多数の製品（１０、１１０）を、それらの平坦面が互いに当接して前記内容積（５，１０５）の長手方向にスタックした状態で収容している分配装置が提供される。この分配装置は、第２の端部（２、１０２）付近に配置された支持構造体（８、１０８）をさらに具える。前記支持構造体（８、１０８）は、前記内容積（５，１０５）の前記第２の端部（２、１０２）における前記内容積（５，１０５）の断面寸法と実質的に同一の断面寸法を有しており、前記封止壁（４、１０４）を前記長手方向に均一に連続して形成する。【選択図】図１
2011207534.tif 000002
【特許請求の範囲】
【請求項１】
脱脂綿タンポン等の平坦で柔軟性のある吸収体（１０、１１０）を１つずつ引き出すよう適合された分配装置であって、前記装置は、内容積（５，１０５）を包囲する封止壁（４、１０４）を有し、前記内容積（５，１０５）は、多数の前記吸収体（１０、１１０）を、それらの平坦面が互いに当接して前記内容積（５，１０５）の長手方向にスタックした状態で収容しており、前記長手方向は断面寸法に垂直であり、前記内容積（５，１０５）は、前記長手方向において、第１の閉じた端部（１、１０１）と、これに対向する、端壁（３、１０３）を具えた第２の端部（２、１０２）とで終端しており、前記端壁（３、１０３）は、最外の吸収体を引き出すための開口（６、１０６）を有しており、前記開口（６、１０６）の断面寸法（ｄ）がスタックした前記吸収体（１０、１１０）の断面寸法（Ｄ）よりも小さく、前記開口（６、１０６）に最も近い前記吸収体（１０、１１０）が変形することで前記開口（６、１０６）を通って引き出されるように構成された分配装置において、
前記分配装置は、前記第２の端部（２、１０２）付近に配置された支持構造体（８、１０８）を具え、前記支持構造体（８、１０８）は、支持面上で前記分配装置を直立姿勢で支持し、前記端壁（３、１０３）を前記支持面から離間して配置するための面を画定する突出した載置点（７、１０７）と、孔部又は切り欠き部を具え、前記最外の吸収体が前記開口（１０６）を通った後に前記孔部又は切り欠き部を通って引き出されるようにしてなり、
前記支持構造体（８、１０８）は、前記内容積（５，１０５）の前記第２の端部（２、１０２）における前記内容積（５，１０５）の断面寸法と実質的に同一の断面寸法を有しており、前記封止壁（４、１０４）を前記長手方向に均一に連続して形成することを特徴とする分配装置。
【請求項２】
前記支持構造体（８、１０８）は、前記封止壁（４、１０４）の延長であり、これと一体に形成される、請求項１に記載の装置。
【請求項３】
前記支持構造体（８、１０８）は壁として形成され、その遠位端が、断面寸法内に延在する開口を画定するように開放された、請求項１又は２に記載の装置。
【請求項４】
前記支持構造体壁の、好ましくは円形の切り欠き部が、前記支持構造体壁の前記遠位端から長手方向に延在する、請求項３に記載の装置。
【請求項５】
前記支持構造体（８、１０８）は、少なくとも３本の脚部を具え、前記脚部のそれぞれが前記載置点（７、１０７）の１つを形成する、請求項１〜４のいずれか一項に記載の装置。
【請求項６】
前記装置は、断面において真円形又は楕円形等の、円形の円筒状である、請求項１〜５のいずれか一項に記載の装置。
【請求項７】
前記端壁（３、１０３）は断面方向に延在する、請求項１〜６のいずれか一項に記載の装置。
【請求項８】
前記支持構造体（８、１０８）は通気開口を有する、請求項１〜７のいずれか一項に記載の装置。
【請求項９】
前記載置点（７、１０７）は切れ目のない線を形成する、請求項１〜８のいずれか一項に記載の装置。
【請求項１０】
バネ等の弾性手段を用いて、前記吸収体（１０、１１０）のスタックを前記開口（６、１０６）に向けて推進する手段をさらに具える、請求項１〜９のいずれか一項に記載の装置。
【発明の詳細な説明】
【技術分野】
【０００１】
本発明は、脱脂綿タンポン等の平坦で柔軟性のある吸収体（１０、１１０）を１つずつ引き出すよう適合された分配装置に関する。また、本発明は、脱脂綿タンポン及びこのような衛生製品等の吸収性材料のスタック用のパッケージングに関する。パッケージングは、（１）第１の端部と、（２）第２の端部と、（３）閉止面と、（４）円筒形（円形）側壁とからなり、側壁は、製品の保管を具現化し、また、第１端部および第２端部を最終閉止面に接続して、これによって一度に１個の製品を引き出すことを可能にする。少なくとも一つの面上にある開口が、同方向において、引き出される製品よりも小さく、第２端部は、支持面上でパッケージングを支持するための載置面を画定する載置点に接触する。開口は任意に再閉止可能である。
【背景技術】
【０００２】
米国特許第１，８９０，２９５号において、前記した脱脂綿タンポンのスタッキングは公知である。このパッケージングは脱脂綿タンポンを製造ラインから小売店まで、またさらには最終ユーザまでの移送に好適であり、かつ、パッケージング開封後の上部からの塵埃や水沫からタンポンを保護する。タンポンの引き出し（分配）に関連して、このパッケージングはパッケージングの下面にヒンジ接続したフラップによって閉止することのできる、支持面に対向する開口を含む。
【０００３】
かかる発明はさらに、フランス国特許公開第１，５５２，６４８Ａ１号により、円形脱脂綿タンポン等の柔軟シート状製品への上記の種の支持体として公知であり、これにおいてはディスペンサが製品より小さい開口を伴って形成されている。製品のスタックはバネ荷重装置に補助されて、中間プラットフォームを用いてディスペンシングアパーチャへと誘導される。
【０００４】
これらの種のパッケージングの欠点は、製品の取り出しのための開口が、同様に支持基台を形成するパッケージング端面上に位置していることである。上部からの塵埃や水沫を防ぐために、開口を設けた端壁が下方を向くようにこれらのパッケージを配置した場合には、これにより端壁が支持基盤レベル以下に位置する塵埃や水沫を受け、かつ、これに従い、これら異物がパッケージング内に侵入し、パッケージングの中身にダメージを与えるおそれがある。
【０００５】
吸収性材料を収容する第１の空間と、第１スペースの下に位置する第２の空間を覆うパッケージングは、米国特許第６，５８８，６２６号において公知である。したがって、第１空間は、支持面の上方に置かれ、支持面上の水たまりからこれを保護する。製品の分配のための開口が区画壁内に配置され、したがって、製品は塵埃や水沫から同様には保護されない。
【先行技術文献】
【特許文献】
【０００６】
【特許文献１】米国特許第１，８９０，２９５号
【特許文献２】フランス国特許公開第１，５５２，６４８Ａ１号
【特許文献３】米国特許第６，５８８，６２６号
【発明の概要】
【発明が解決しようとする課題】
【０００７】
本発明の目的は、パッケージから製品が１つずつ取り出されることを可能にする分配装置を提供することである。
【０００８】
本発明のさらなる側面は、脱脂綿タンポンまたは同様の衛生製品等の吸収性材料のスタック用のパッケージングであって、パッケージングが上部及び側部からの塵埃や水沫から製品を保護し、下部及び支持面からの汚染を予防することを特徴とするパッケージングを製造することであり、また、製品に、端壁により保護されていない最外の製品近傍における十分な通気を生じさせ、これによりカビおよび細菌の形態の生物的汚染を排除するパッケージングを製造することである。
【課題を解決するための手段】
【０００９】
パッケージングの前記の目的を達成するため、発明の特徴である下記の項目１に固有の構成は、項目１の開口の特徴に関連して上記したとおり特徴付けられている。有利な製造方法は下記の項目２〜１０に示されている。
【００１０】
１．  脱脂綿タンポン等の柔軟な平板状の吸収体のスタック用のパッケージングであって、
第1の端部と、端壁を具える第２の端部と、吸収体を収容するための内容積を包囲し、かつ、第１端部と第２端部を接続する円形壁とを有するパッケージングにおいて、端壁は、一度に１つの吸収体を引き出すための開口を有しており、該開口は、それの最小方向における寸法が、同一方向における吸収体の寸法よりも小さく、第２端部は、支持面上でパッケージングを支持するための載置面を画定する載置点を覆っており、端壁から突出した支持装置を端壁の開口から外方に離間して配置することを特徴とするパッケージング。
【００１１】
２．  前記パッケージングは、ホイル、板紙又は金属のような剛性材料、半剛性材料または可撓性材料から作られた長円形容器である、上記項目１に記載のパッケージング。
【００１２】
３．  吸収体のスタック軸線が開口の面に略垂直である、上記項目１又は２に記載のパッケージング。
【００１３】
４．  支持装置は、円形壁を延長することにより形成される、上記項目１〜３のいずれか一項に記載のパッケージング。
【００１４】
５．  円形の端壁の延長部は換気孔を含む、上記項目４記載のパッケージング。
【００１５】
６．  載置点（７）が閉じた線を形成する、上記項目１〜５のいずれか一項記載のパッケージング。
【００１６】
７．  支持装置は、少なくとも３本の脚部とともに形成される、上記項目１〜５のいずれか一項に記載のパッケージング。
【００１７】
８．  スタックを端壁の開口に向かって推進する推進源を有する、上記項目１〜７のいずれか一項に記載のパッケージング。
【００１８】
９．  推進源は、吸収体のスタックを端壁の分配開口に向けて押し付けるばね仕掛けの中間ベースを含む、上記項目８に記載のパッケージング。
【００１９】
１０．  脱脂綿タンポン等の柔軟な平板状の吸収体のスタックを収容した、上記項目１〜９のいずれか一項に記載のパッケージング。
【００２０】
支持手段を補助するため、端壁開口は支持面の上方に位置し、これにより、パッケージングの、製品を収容している部分のパッケージング接触領域を制限し、したがって、支持面周辺にある液体がパッケージングに侵入し、パッケージ又は内容物を損傷することを避ける。
【００２１】
開口を有する端部は、パッケージが起立するパッケージング載置点を覆う。載置点は少なくとも３個の、円形縁部であるか、または１個またはそれ以上の表面を具える。載置点は水平に置かれ、且つ載置面を画定する。パッケージングは載置面上に起立すると、パッケージングの重心を常に支持する。
【００２２】
パッケージングの第２端部は、端壁に対して、端壁開口に向かって外側に向かう距離内にある載置点の押出支持装置用の載置面を形成する。パッケージングが載置面上に起立すると、開口は下方へ向き、支持面より高くに置かれる。これにより、製品、特に最外部は、上方からの埃、塵埃および水沫から保護され、且つ支持面と支持面上にあり得る塵埃および水分との接触を防止する。
【００２３】
本発明に従い、パッケージングはボール紙、プラスチックまたは金属等の硬質または半硬質材料の容器として主に形成される。パッケージングの円形面は、製品のスタックを作り保持する管として形成される。この管は、製品の寸法および形状に適合する本体寸法を有ることが好都合であるが、他のいかなる幾何学的形状を有していてもよい。材料は塵埃や水沫の除去に適しているべきであるが、パッケージングの表面との接触を低減する特殊構造の結果、パッケージング載置点以外の箇所での水との連続した接触を維持可能である必要がない。
【００２４】
これは、パッケージングデザインにおける、材料および設計の選択の自由度が、より大きいということを意味する。好適なデザインパターンにおいて、これは単用パッケージングとして製造されることができる。
【００２５】
製造中にパッケージングを満たし、最終的に、折り曲げ、加熱、溶接又は接着法により、第1端部で封止することができる。具体例において、再使用可能なパッケージングに関して、パッケージングの第1端部を、取り外し可能なフラップカバーで封止し、再装填可能にすることができる。
【００２６】
基本的に、製品はパッケージングから２つの方向で取り出すことができる。スタックの軸に対して実質的に９０度の角度であるラジアル方向、または、スタックの軸に実質的に平行な軸方向である。好適な実施形態において、パッケージングの長手軸は、パッケージングの第1端部から第２端部に延びており、平行軸に延びているので、製品をこの方向に１つずつ引き出すことができる。
【００２７】
この発明によれば、そして、有利な実施形態において、パッケージングの環状壁を伸ばすことにより、支持装置を形成する。このようにして、支持装置を安価で容易に作ることができる。
【００２８】
湿度の高い環境で用いる場合には、空気の流れを発生させ、パッケージング外壁と支持装置と支持面により封止される領域内へのカビの発生を回避する通気開口を支持装置が含むことが有利である。
【００２９】
有利な実施形態において、載置点は直線を形成する。パッケージングは、この閉じた線上にしっかりと載置され、載置面を形成する。このことは、支持面との接触によるパッケージングへの水害のおそれを低減するであろう。
【００３０】
他の実施形態において、支持装置は、少なくとも３本の脚部として形成される。これにより、パッケージングはわずか数箇所でのみ載置され、支持面が液体により損傷する恐れがさらに低減される。さらに、パッケージングは不均一な支持面に対する感受性が低くなり、したがって、パッケージングをより一層安定化させる。
【００３１】
単純に製品のスタックの重さにより製品を開口に向かって押し付けることができるが、主として推進装置の働きによりこのようにすることもできる。有利な実施形態において、推進装置を、開口の反対側の製品スタック端に向かって位置し、したがって反対側の端を押圧する中間ベースの補助により形成する。装填段階で予め張力をかけることのできる弾性要素を用いて中間ベースをパッケージングに取り付けることにより推力を達成することができ、これにより中間ベース及び製品スタックを開口に押し付け又は引き下げ、端壁内の開口に接触させる。この発明によれば、例えばリップスティックから公知の「スクリュー式」装置等の代替的実施形態を実施することができる。
【図面の簡単な説明】
【００３２】
【図１】本発明に従う分配装置の第１の実施例を示す。
【図２】図１に示す分配装置を下から見た図である。
【図３】図１に示す分配装置のバネ荷重中間ベースを示す。
【図４】本発明に従う筒状の分配装置の代替実施例の正面図である。
【図５】図４に示す分配装置の側面断面図である。
【図６】図４に示す分配装置を下から見た図である。
【発明を実施するための形態】
【００３３】
以下、図面を参照しつつ本発明を説明する。
図１及び２は、本発明に従うパッケージングの第１実施例を示す。このパッケージングは、第１の端部と、端壁を具える第２の端部と、平坦で柔軟性のある吸収体のスタック１２を収容するための内容積領域５を実現する円筒状（円形）の壁４を有する。端壁３は、製品１０を引き出すための開口６を有する。開口６は、図示の実施例では円形開口の直径である寸法ｄを有しており、寸法ｄは同一方向における製品寸法Ｄよりも小さい。製品１２のスタックは、最外の製品１１を端壁３に当てて配置されており、これによって保持される。しかし、最外製品１１は、開口６を介して、引き出しのためにアクセス可能である。製品１０は、開口を通して最外製品をつかみ、これを引き出すことにより、容易に１つずつ引き出し可能である。
【００３４】
円形壁４は、開口６のレベルを超えて外方に延びており、支持装置８を形成している。端壁３の開口を下に向けて、パッケージングを支持面上に配置する場合には、パッケージングは、支持装置端８により、支持点７上にのみに載置される。開口６を支持面よりも高くし、製品１０、特に最外の製品１１が支持面上の塵埃又は液体と接触することのないようにする。この実施例の他の利点は、支持面に接触するパッケージングは、真直ぐな支持面にまで減らされる。
【００３５】
パッケージングは有利な断面を有しており、この断面は製品の寸法及び形状に適合されている。図１及び２に示す実施例では、この形状は円形の端壁断面であるが、楕円又は閉じたポリゴン等の任意の他の幾何形状をとることができる。さらに、開口６は、開口６の寸法ｄが同一方向における製品の寸法Ｄよりも小さいという条件を満たす限りは、任意の形状とすることがきる。
【００３６】
図３は、本発明に従う特に有利な実施例を示しており、製品スタック１２が、推進システムよって、開口６の端壁に向かって接触している。図示の実施例において、中間ベース１４として形成される推進システムは、バネ１５等の弾性要素を用いて、開口から離れた側の製品スタック端を押し、これが中間ベース１４とパッケージングを接続する。図示の実施例において、バネ１５は、中間ベース１４とこの例では端縁１８との間に位置するバネ荷重装置である。バネ１５は製品１０が装填されている間は引張られ、したがって製品スタックは開口６と接触させられる。輸送中に最外製品１１を保護するために、開口を薄膜で閉じたままとすることができ、この薄膜は、外方を向く（図示されていない）端壁３側で隣接する取り付けられた蓋を用いてその位置に保持することができる。代替的に、又は補足として、パッケージングは、輸送中にパッケージングの第２端に取り付けられ最外製品１１を保護するとともに、取り外し可能で、図３に示すようにパッケージング第１端１に取り付けることもできる蓋１６を含むことができる。
【００３７】
図４から図６は、本発明に従うパッケージングの代替実施例を示す。パッケージングは筒（チューブ）として構成され、円形壁１０４は短径と長径を有する明確な楕円形状の筒である。パッケージングは、図５に示すように折られた製品を装填した後、円形壁１０４を、例えばさねはぎ、溶接又は接着により永久的に圧迫することにより第１端部１０１で閉じる。他方の端部１０２は、スリット状の開口１０６を有する端壁１０３を覆う。開口１０６の寸法ｄ及び折られた製品１１０の寸法Ｄは、図５に示すように楕円の短径と平行な同一の方向で測定される。製品１０６は、重量と各製品を単一に伸ばそうとする弾性とによって開口１０６に押圧される。最外の製品１１１が開口１０６から引き出されると、各製品を単一に伸ばそうとする上記の弾性力により支持されている製品１１０の間の摩擦の結果、次の製品が開口に向かって引き下げられる。
【００３８】
パッケージングを載置点１０７に垂直に配置する場合には、開口１０６及び全製品スタック１１２が支持装置１０８の作用で支持面より上に置かれる。図４〜６に示される実施例では、この支持装置１０８は、円形壁１０４の、端壁１０３に向かう延長部を形成する脚部１０７として展開される。支持装置１０８を脚部１１７として形成することにより、支持面に接触するパッケージングが、安定性に影響を与えることなく数箇所の載置点１０７に減るという他の利点が得られる。反対に、多数の脚部１１７のみで起立し、多数の載置点で載置するパッケージングは、不均一な面上でより一層安定する。
【００３９】
載置面上に液体が存在する場合には、支持面、支持装置１０８、端壁１０３及び最外製品１１１により囲まれるパッケージングの内部空間内に湿潤環境を発生し得る。このような湿潤環境内には、カビ及びバクテリア培養物の形成又は他の種類の生物学的汚染のおそれがある。最外製品１１１に接触する高湿環境の蓄積を避けるために、支持装置１０８を、側面に空けた孔及び／又は脚部１１７の間の中間空間として形成した通気開口を有する展開形状とすることができる。
【符号の説明】
【００４０】
１、１０１  パッケージング第１端部
２、１０２  パッケージング第２端部
３、１０３  端壁
４、１０４  円形壁
５、１０５  パッケージング内容積
６、１０６  開口
７、１０７  載置点
８、１０８  支持装置
１０、１１０  製品
１１、１１１  最外製品
１２、１１２  製品スタック
１３  製品スタック軸
１４  中間ベース
１５  バネ
１６  カバー
１８  パッケージ第１端部１、１０１における端壁
１０９  通気開口
１１７  脚部
ｄ  開口６１、１０６の寸法
Ｄ  同一方向における製品１０、１１０の寸法
【図１】
2011207534.tif 000003
【図２】
2011207534.tif 000004
【図３】
2011207534.tif 000005
【図４】
2011207534.tif 000006
【図５】
2011207534.tif 000007
【図６】
2011207534.tif 000008
【外国語明細書】
2011207534000001.pdf